(57)【要約】【課題】　本発明は、トースタの内部温度及び連続使用か否かにかかわらずユーザの所望する焼き加減でパンを焼くことができるトースタ付電子レンジ及びその駆動方法を提供すること。【解決手段】　パンを焼くためのヒータ２０８を備えたトースタ付電子レンジにおいて、電子レンジの機能を選択するための第１キー入力部２０１と、トースタの機能を選択するための第２キー入力部２０２と、ユーザが選択したトースタの機能によってヒータに供給する電圧のレベルを貯蔵するメモリ２０３と、トースタの内部温度を検出する温度検出部２０５と、ユーザが選択したトースタの機能及びトースタの内部温度によってパンを焼く時間を調節し、かつ、第１キー入力部２０１を介して入力される命令によって電子レンジを制御するマイクロコンピュータを含む。【選択図】　　　図３
2004093126.tif 000002
【特許請求の範囲】
【請求項１】
　パンを焼くためのヒータを備えたトースタ付電子レンジにおいて、
　前記電子レンジの機能を選択するための第１キー入力部と、
　前記トースタの機能を選択するための第２キー入力部と、
　ユーザが選択した前記トースタの機能によって前記ヒータに供給される電圧のレベルを貯蔵するメモリと、
　前記トースタの内部温度を検出する温度検出部と、
　ユーザが選択した前記トースタの機能及び前記トースタの内部温度によってパンを焼く時間を調節し、かつ、前記第１キー入力部を介して入力された命令によって前記電子レンジを制御するマイクロコンピュータと、
　を含むトースタ付電子レンジ。
【請求項２】
　前記トースタの動作完了時点から再動作開始時点までの時間をカウントする時間カウンタを更に含む請求項１に記載のトースタ付電子レンジ。
【請求項３】
　前記マイクロコンピュータは、ユーザが選択した前記トースタの機能による第１加熱時間と、前記トースタの内部温度による第２加熱時間と、前記電圧のレベルによる第３加熱時間とを設定し、これらを組み合わせて前記パンを焼く時間を設定する請求項１に記載のトースタ付電子レンジ。
【請求項４】
　前記マイクロコンピュータは前記温度検出部によって検出したトースタの内部温度から生ずる誤差を補正する請求項１に記載のトースタ付電子レンジ。
【請求項５】
　（ａ）トースタの機能を選択する段階と、
　（ｂ）トースタの内部温度を検出する段階と、
　（ｃ）前記選択されたトースタの機能及び前記トースタの内部温度によってパンを焼く時間を設定する段階と、
　（ｄ）前記設定されたパンを焼く時間で、パンを焼く段階と、
　を含むトースタ付電子レンジの駆動方法。
【請求項６】
　前記トースタの機能を選択する段階（ａ）において、
　パンの種類及びパンの焼き加減を選択する請求項５に記載のトースタ付電子レンジの駆動方法。
【請求項７】
　前記トースタの内部温度を検出した後、検出した内部温度から生ずる誤差を補正する段階を更に含む請求項５に記載のトースタ付電子レンジの駆動方法。
【請求項８】
　前記検出した内部温度により生ずる誤差を補正するために前記トースタの動作完了時点から再動作開始時点までの時間によって、前記検出した内部温度から一定温度を減算又は加算する請求項７に記載のトースタ付電子レンジの駆動方法。
【請求項９】
　前記検出した内部温度により生ずる誤差を補正するために、前記トースタの動作完了時点から再動作開始時点までの時間によって前記パンを焼く時間を減少又は増加する請求項７に記載のトースタ付電子レンジの駆動方法。
【請求項１０】
　前記パンを焼く時間を設定する段階（ｃ）は、
　ユーザが選択した前記トースタの機能による第１加熱時間と、
　前記トースタの内部温度による第２加熱時間を設定する段階と、
　前記第１、２加熱時間を組み合わせて前記パンを焼く時間を設定する段階と、
　からなる請求項５に記載のトースタ付電子レンジの駆動方法。
【請求項１１】
　パンを焼くためのヒータを備えたトースタ付電子レンジにおいて、
　前記電子レンジの機能を選択するための第１キー入力部と、
　パンの種類及びパンの焼き加減による前記トースタの機能を選択するための第２キー入力部と、
　ユーザが選択したパンの種類及びパンの焼き加減によって前記ヒータに供給する電圧のレベルを貯蔵するメモリと、
　前記トースタの動作完了時点から再動作開始時点までの時間をカウントする時間カウンタと、
　ユーザが選択したパンの種類及びパンの焼き加減、前記電圧のレベル、また、前記時間カウンタによってカウントされた時間によってヒータ加熱時間を調節し、かつ、前記第１キー入力部を介して入力される命令によって前記電子レンジを制御するマイクロコンピュータと、
　を含むトースタ付電子レンジ。
【請求項１２】
　前記トースタの内部温度を検出する温度検出部を更に含む請求項11に記載のトースタ付電子レンジ。
【請求項１３】
　前記マイクロコンピュータは、ユーザが選択したパンの種類及びパンの焼き加減による第１加熱時間と、前記電圧のレベルによる第２加熱時間と、前記時間カウンタによってカウントした時間による第３加熱時間を設定し、これらを組み合わせて前記ヒータ加熱時間を設定する請求項11に記載のトースタ付電子レンジ。
【請求項１４】
　（ａ）パンの種類及びパンの焼き加減によるトースタの機能を選択する段階と、
　（ｂ）前記トースタの機能を選択する前の所定時間以内にトースタを駆動したかどうかを判断する段階と、
　（ｃ）ユーザが選択した前記トースタの機能と、前記トースタを以前に駆動した場合、前記トースタの前回動作完了時点から再動作開始時点までの時間によってパンを焼く時間を設定する段階と、
　（ｄ）前記設定されたパンを焼く時間で、パンを焼く段階と、
　を含むトースタ付電子レンジの駆動方法。
【請求項１５】
　前記パンを焼く時間を設定する段階（ｃ）は、
　ユーザが選択した前記トースタの機能による第１加熱時間と、前記トースタの前回動作完了時点から再動作開始時点までの時間による第２加熱時間を設定する段階と、
　前記第１、２加熱時間を組み合わせて前記パンを焼く時間を設定する段階と、
　からなる請求項１４に記載のトースタ付電子レンジの駆動方法。
【請求項１６】
　前記トースタの前回動作完了時点から再動作開始時点までの時間が、長ければ長いほど前記パンを焼く時間を長く設定し、前記トースタの前回動作完了時点から再動作開始時点までの時間が、短ければ短いほど前記パンを焼く時間を短く設定する請求項１４に記載のトースタ付電子レンジの駆動方法。
【請求項１７】
　前記パンを焼く時間を設定する段階（ｃ）は
　　前記トースタの内部を一定時間冷却する段階と、
　　前記トースタの内部温度を検出する段階と、
　　ユーザが選択した前記トースタの機能による第１加熱時間と、前記トースタの前回動作完了時点から再動作開始時点までの時間による第２加熱時間を設定する段階と、
　前記第１、２加熱時間を組み合わせて前記パンを焼く時間を設定する段階と、
　からなる請求項１４に記載のトースタ付電子レンジの駆動方法。
【請求項１８】
　（ａ）パンの種類及びパンの焼き加減によるトースタの機能を選択する段階と、
　（ｂ）前記トースタの機能を選択する前の所定時間以内にトースタが起動したかどうかを判断する段階と、
　（ｃ）前記トースタの内部温度を検出する段階と、
　（ｄ）前記トースタが以前に駆動していた場合、ユーザが選択した前記トースタの機能と、前記トースタの内部温度によってパンを焼く時間を設定する段階と、
　（ｅ）前記設定されたパンを焼く時間でパンを焼く段階と、
　を含むトースタ付電子レンジの駆動方法。
【請求項１９】
　前記トースタの内部温度を検出した後、検出した内部温度から生ずる誤差を補正する段階を更に含む請求項１８に記載のトースタ付電子レンジの駆動方法。
【請求項２０】
　前記検出した内部温度から生ずる誤差を補正するために、前記トースタの前回完了時点から再動作開始時点までの時間によって、前記検出した内部温度から所定温度を減算又は加算する請求項１９に記載のトースタ付電子レンジの駆動方法。
【請求項２１】
　前記検出した内部温度から生ずる誤差を補正するために、前記トースタの前回動作完了時点から再動作開始時点までの時間によって、前記パンを焼く時間を減少又は増加する請求項１９に記載のトースタ付電子レンジの駆動方法。
【発明の詳細な説明】
【技術分野】
【０００１】
　本発明は電子レンジに関するもので、より詳しくは、トースタ付電子レンジ及びその駆動方法に関するものである。
【背景技術】
【０００２】
　一般に、電子レンジは、マイクロウェーブを用いて加熱対象物を加熱するための装置である。その構成を見ると、図１に示すように、マイクロウェーブを供給し、加熱対象物を内蔵するための加熱室２が、キャビティアセンブリ１の内部に備えられており、加熱室２は、ドア４によって開閉できるように構成されている。
【０００３】
　また、加熱室２の片側には、マイクロウェーブを発生させるための電装室１０が備えられ、かかる電装室１０は、外部ケーシング６によって覆われるように構成されている。電装室１０の内部にはマイクロウェーブを発生するためのマグネトロン１２と、マグネトロン１２に高圧を印加するための高圧トランス１４と、電気部品を冷却し、加熱室２の内部を経由するエアフローを形成するための送風ファンなどが設けられている。
【０００４】
　しかしながら、前記のような構造を有する従来技術の電子レンジは、多様な機能を備えて多様な飲食物の料理を行えるが、現在までのところトースタ機能を備えているものはなかった。
【０００５】
　即ち、ヒータを備えていない単一機能の電子レンジでは、まったくトースト料理ができないので、一般ユーザは電子レンジに多くの機能があるにもかかわらず、簡単なトーストを調理するために、別にトースタを利用しなければならなかったので、これを購入する費用ばかりはなく、使用上の不便も伴うという不具合があった。
【０００６】
　このような理由により、トースタを備えた電子レンジが開発され、かかるトースタ付電子レンジの構成は、図２に示す通りである。
　図２に示すように、キャビティ２２は、キャビティアセンブリ２０内に提供され、電装室２３は、キャビティ２２の隣に備えられる。キャビティ２２において、対象物（食料）は、マイクロウェーブを用いて加熱される。マイクロウェーブを発生するための多様な電子装置は、電装室２３内に提供される。図２に示すように、電子レンジは、またフロントプレート２１を備えている。
【０００７】
　キャビティ２２は、キャビティドア２４によって開閉される。キャビティドア２４が閉鎖されると、キャビティドア２４は、フロントプレート２１と接触することによりキャビティ２２を覆う。キャビティドア２４は、ユーザがキャビティドア２４を開閉可能にするドアハンドル２５を備えている。
【０００８】
　キャビティアセンブリ２０及び電装室２３は、電子レンジの上部及び側面の外部表面を形成するアウトケース２７によって覆われる。
　電装室２３内においてトースタ３０は、マイクロウェーブを発生する電子装置の前方に位置する。トースタ３０は、フロントプレート２１を貫通して取り付けられる。トースタパネル３２は、トースタ３０の前方にある。トースタパネル３２の外観表面材質は、キャビティドア２４と同一材質からなる。従って、トースタパネル３２は、キャビティドア２４と共に滑らかな前面を形成する。
【０００９】
　トースタ３０をより詳しく説明すると、トースタパネル３２の後面には、複数の固定フック（図示せず）があり、トースタパネル３２にヒンジ結合されたトースタドア４０と、少くとも１つのスライスパンを支持する２つのトレイ７４を更に備えている。
【００１０】
　また、キャビティドア２４の前面上部には、コントロールパネル２６が装着され、コントロールパネル２６には、電子レンジ機能を選択するための第１選択部２６ａと、トースタ機能を選択するための第２選択部２６ｂと、第１選択部２６ａまたは第２選択部２６ｄのキー入力による動作状態をディスプレイするためのディスプレイ部２６ｃとからなる。
【００１１】
　従って、このように構成された従来技術によるトースタ付電子レンジは、ユーザがコントロールパネル２６の第１キー入力部２６ａ、または第２キー入力部２６ｂを介して信号入力した時に、入力した該当機能が行われるように動作し、ユーザが選択したパンの種類及び焼き加減によって設定された時間でパンが焼かれる。
【発明の開示】
【発明が解決しようとする課題】
【００１２】
　しかしながら、従来技術によるトースタ付電子レンジは、トースタの内部状態を考慮せずに、単にユーザが選択するパンの種類、またはパンを焼き加減によってのみ調理がなされるので、ユーザの所望する状態でパンが焼かれないという問題があった。
【００１３】
　本発明は、上記従来技術の問題点を解決するためのもので、その目的は、トースタの内部温度及び連続使用か否かにかかわらず、ユーザの所望する焼き加減でパンを焼くことができるトースタ付電子レンジ及びその駆動方法を提供することが目的である。
【課題を解決するための手段】
【００１４】
　前記の目的を達成するため、本発明は、電子レンジの機能を選択するための第１キー入力部と、トースタの機能を選択するための第２キー入力部と、ユーザが選択したトースタの機能に対してヒータに供給する電圧のレベルを貯蔵するメモリと、トースタの内部温度を検出する温度検出部と、ユーザが選択したトースタの機能及びトースタの内部温度によってパンを焼く時間を調節し、第１キー入力部を介して入力される命令によって電子レンジを制御するマイクロコンピュータと、を備えている。
【００１５】
　ここで、マイクロコンピュータは、ユーザが選択したトースタの機能による第１加熱時間と、トースタの内部温度による第２加熱時間と、電圧のレベルによる第３加熱時間を設定し、これらを組み合わせてパンを焼く時間を決定する、またマイクロコンピュータは、温度検出部によって検出したトースタの内部温度により生ずる誤差を補正する請求項１に記載のトースタ付電子レンジ。
【００１６】
　本発明によるトースタ付電子レンジの駆動方法は、（ａ）トースタの機能を選択する段階と、（ｂ）トースタの内部温度を検出する段階と、（ｃ）選択されたトースタの機能及びトースタの内部温度によってパンを焼く時間を設定する段階と、（ｄ）前記により設定された時間で、パンを焼く段階を含む。
【００１７】
　トースタの内部温度を検出した後、検出した内部温度により生ずる誤差を補正するために、トースタの前回動作完了時点から再動作開始時点までの時間によって、検出した内部温度から一定温度を引くか又は足す。検出した内部温度により生ずる誤差を補正するための他の方法として、トースタの前回動作完了時点から再動作開始時点までの時間によって、パンを焼く時間を減らすか又は増やす。
【００１８】
　パンを焼く時間を設定する段階（ｃ）は、ユーザが選択したトースタの機能による第１加熱時間と、トースタの内部温度による第２加熱時間を設定する段階と、第１、２加熱時間を組み合わせてパンを焼く時間を設定する段階と、からなる。
【００１９】
　本発明の他の形態のトースタ付電子レンジは、電子レンジの機能を選択するための第１キー入力部と、パンの種類及びパンの焼き加減によるトースタの機能を選択するための第２キー入力部と、ユーザが選択したパンの種類及びパンの焼き加減によってヒータに供給する電圧のレベルを貯蔵するメモリと、トースタの前回動作完了時点から再動作開始時点までの時間をカウントする時間カウンタと、ユーザが選択したパンの種類及びパンの焼き加減、電圧のレベル、また、時間カウンタによってカウントされた時間によってヒータ加熱時間を調節し、かつ、第１キー入力部を介して入力される命令によって電子レンジを制御するマイクロコンピュータと、を含む。
【００２０】
　本発明のトースタ付電子レンジの他の駆動方法は、（ａ）パンの種類及びパンの焼き加減によるトースタの機能を選択する段階と、（ｂ）トースタの機能を選択する前の所定時間以内にトースタが駆動したかどうかを判断する段階と、（ｃ）トースタが以前に駆動された場合、ユーザが選択したトースタの機能と、トースタの前回動作完了時点から再動作開始時点までの時間によってパンを焼く時間を設定する段階と、（ｄ）設定された時間で、パンを焼く段階と、を含む。
【００２１】
　パンを焼く時間を設定する段階（ｃ）は、ユーザが選択したトースタの機能による第１加熱時間と、トースタの前回動作完了時点から再動作開始時点までの時間による第２加熱時間を設定する段階と、第１、２加熱時間を組み合わせてパンを焼く時間を設定する段階とからなる。
【００２２】
　パンを焼く時間を設定する段階（ｃ）の他の実施例は、トースタの内部を一定時間の間、冷却する段階と、トースタの内部温度を検出する段階と、ユーザが選択したトースタの機能による第１加熱時間と、トースタの前回動作完了時点から再動作開始時点までの時間による第２加熱時間を設定する段階と、第１、２加熱時間を組み合わせてパンを焼く時間を設定する段階とからなる。
【００２３】
　本発明のトースタ付電子レンジの他の駆動方法は、（ａ）パンの種類及びパンの焼き加減によるトースタの機能を選択する段階と、（ｂ）トースタの機能を選択する前の所定時間以内にトースタを稼動したかどうかを判断する段階と、（ｃ）トースタの内部温度を検出する段階と、（ｄ）トースタを以前に稼動した場合、ユーザが選択したトースタの機能と、トースタの内部温度によってパンを焼く時間を設定する段階と、（ｅ）設定されたパンを焼く時間でパンを焼く段階とからなる。
【００２４】
　トースタの内部温度を検出した後、検出した内部温度により生ずる誤差を補正するために、トースタの前回動作完了時点から再動作開始時点までの時間によって、検出した内部温度から一定温度を引くか又は足す。また、検出した内部温度により生ずる誤差を補正するために、トースタの前回動作完了時点から再動作開始時点までの時間によって、パンを焼く時間を減らすか又は増やす。
【発明の効果】
【００２５】
　本発明によるトースタ付電子レンジ及びその駆動方法は、トースタ内部温度及び放置時間などを考慮して調理時間を設定することにより、ユーザが所望するパンの状態を提供できるので製品に対する満足度及び信頼度を向上できる効果がある。
【発明を実施するための最良の形態】
【００２６】
　以下、本発明の望ましい実施形態を添付の図面に基づいて詳しく説明する。
　本実施例を説明するにあたり、同一構成については同一名称および符号が使用され、これによる付加的な説明は下記にて省略される。
【００２７】
〔第１実施例〕
　本発明の第１実施例によるトースタ付電子レンジを説明すれば次の通りである。
　図３に示すように、本発明の第１実施例によるトースタ付電子レンジの制御構成は、電子レンジの動作のための各種機能を選択するための第１キー入力部２０１と、トースタ動作のための各種メニュー、パンの種類及びパンの焼き加減を選択するための第２キー入力部２０２と、パンの種類及びパンの焼き加減によってヒータに供給される電圧のレベルを貯蔵したメモリ２０３と、トースタの内部温度を検出する温度検出部２０５と、ユーザが選択したパンの種類、パンの焼き加減によってトースト加熱時間を変えられるように制御し、パンを焼く電圧、及び温度検出部２０５を介して検出されるトースタの内部温度にしたがってトーストの加熱時間が変えられるように制御し、かつ、第１キー入力部２０１を介して入力される命令によって電子レンジの動作を制御するマイクロコンピュータ２０４と、第１キー入力部２０１を介してユーザの命令が入力された時、マイクロコンピュータ２０４の制御信号によって該当負荷を駆動するための第１負荷駆動部２０６と、第２キー入力部２０２を介してユーザの命令が入力された時、マイクロコンピュータ２０４の制御信号によって該当負荷を駆動するための第２負荷駆動部２０７と、第２負荷駆動部２０７から出力される電圧によって加熱されるヒータ２０８と、マイクロコンピュータ２０４の制御信号によって電子レンジ及びトースタの動作状態をディスプレイするためのディスプレイ部２０９と、を備えている。
【００２８】
　前記のような構成のトースタ付電子レンジは、ユーザが第２キー入力部２０２を介してトーストしようとするパンの種類及びパンの焼き加減を選択すれば、パンの種類及びパンの焼き加減によって予め設定された加熱時間と、パンの焼き加減によってトースタメーカ別に予め設定された出力電圧による加熱時間と、温度検出部を介して検出したトースタの内部温度による加熱時間と、を組み合わせて最終的にパンを焼く時間を設定する。
【００２９】
　即ち、柔らかいパンや固いベーグルのような場合、互いに異なる時間で、焼かなければならない。また、ユーザの嗜好によってパンの焼き加減が違うので、パンの焼き加減によって焼く時間を調節する。例えば、パンの焼き加減を弱、中、強などの等級に分類し、各等級によって加熱時間が設定される。このように、パンの種類及びパンの焼き加減によって加熱時間は設定され、その設定された加熱時間に対する情報は、メモリ２０３に貯蔵される。
【００３０】
　また、トースタ製造会社及びパンの焼き加減によって、ヒータ２０７に供給する出力電圧が互いに異なって設定されているので、これによっても加熱時間が、トースタ製造会社毎に互いに異なる。例えば、相対的にヒータに供給される出力電圧のレベルが高い場合には、加熱時間が減っており、ヒータ供給される出力電圧が低い場合には、加熱時間が長い。
【００３１】
　また、トースタを、一旦作動させた後には、トースタの内部温度が一定温度以上に高くなっており、連続してパンを焼く場合には、ヒータ２０８が早く加熱し、更に短時間でパンを焼くことができる。従って、マイクロコンピュータ２０４は、温度検出部２０５によって検出した内部温度により、ヒータ２０８の加熱時間を制御する。例えば、内部温度が室温または基準温度以上であれば、加熱時間を所定時間だけ減らす。
【００３２】
　このように、第１実施例のトースタ付電子レンジは、パンの種類による加熱時間、パンの焼き加減による加熱時間、ヒータ２０８に供給される出力電圧による加熱時間、温度検出部２０５を介して検出した温度による加熱時間を考慮してパンを焼く時間を決定する。
　図示してはいないが、第１実施例のトースタ付電子レンジには、トースタを冷却するための冷却ファンと、トースタの前回動作完了時点から再動作開始時点までの時間をカウントする時間カウンタとを更に含み得る。
【００３３】
　以下、本発明の第１実施例によるトースタ付電子レンジの駆動方法について説明する。
　図４ａ及び図４ｂは、本発明の第１実施例によるトースタ付電子レンジの駆動方法を示したフローチャートである。
　図４ａに示すように、先ず電源が電子レンジに印加されたかどうかを判断する（Ｓ１１）。ステップＳ１１の判断の結果、電源が印加されたと判断されると、ユーザによって調理に関する信号が入力されたかどうかを判断する（Ｓ１２）。
【００３４】
　ステップＳ１２の判断結果、調理に関する信号が入力されなかったと判断すると、タイマーリセットのような調理機能以外の機能を行う（Ｓ１３）。なお、ステップＳ１２の判断の結果、ユーザが調理に関する信号を入力したと判断されると、ユーザが電子レンジを動作するために第２キー入力部２０２を介して信号を入力したかどうかを判断する（Ｓ１４）。
【００３５】
　ステップＳ１４の判断の結果、第２キー入力部２０２を介して信号が入力されたらマイクロコンピュータ２０４は、ユーザがトースタを動作させようとしたと認識する。この時、図４ｂに示すように、ユーザはパンの種類及びパンの焼き加減を選択する（Ｓ１５）。また、マイクロコンピュータ２０４は、ユーザが第２キー入力部２０２を介して選択したパンの種類及びパンの焼き加減を認識した後、選択されたパンの種類及びパンの焼き加減に対する加熱時間である第１設定時間（Ｔ１）をメモリ２０３から読み込む（Ｓ１６）。
【００３６】
　続いて、マイクロコンピュータ２０４は、温度検出部２０５からトースタ機器の内部温度を読み込む（Ｓ１７）。また、マイクロコンピュータ２０４は、読み込んだトースタ機器の内部温度に対する加熱時間の第２設定時間Ｔ２を設定する（Ｓ１８）。例えば、内部温度が室温または基準温度より高ければ高いほど第２設定時間Ｔ２を短く設定し、内部温度が室温または基準温度より低ければ低いほど第２設定時間Ｔ２を長く設定する。
【００３７】
　また、マイクロコンピュータ２０４は、ユーザが選択したパンの焼き加減によってヒータ２０８に供給する出力電圧のレベルをメモリ２０３から読み込む（Ｓ１９）。
　製品を作る製造会社毎に同じパンの焼き加減に対してヒータ２０８に供給される出力電圧レベルが互いに異なるので、加熱時間も製造会社毎に互いに異なる必要がある。従って、マイクロコンピュータ２０４は、読み込んだ出力電圧のレベルによって第３設定時間Ｔ３を設定する（Ｓ２０）。例えば、ヒータ２０８に供給される出力電圧レベルが、高ければ高いほど第３設定時間Ｔ３を短く設定し、ヒータ２０８に供給される出力電圧のレベルが、低ければ低いほど前記第３設定時間Ｔ３を長く設定する。第１、２、３設定時間（Ｔ１、Ｔ２、Ｔ３）を設定する順序は、変更可能である。
【００３８】
　また、マイクロコンピュータ２０４は、選択されたパンの種類とパンの焼き加減、トースタの内部温度及びヒータに印加される出力電圧のレベルによって、各々設定された第１ないし第３設定時間（Ｔ１〜Ｔ３）を組み合わせて、最終的にパンを焼く時間（Ｔｔ）、即ち、実際のヒータ加熱時間を決定する（Ｓ２１）。
【００３９】
　第１、２、３設定時間（Ｔ１〜Ｔ３）を用いて、パンを焼く時間（Ｔｔ）を決定する方法には、多様な方法がある。例えば、第１、２、３設定時間（Ｔ１〜Ｔ３）の平均時間をパンを焼く時間（Ｔｔ）として決定できる。他の方法としては、基準時間に対する１、２、３設定時間（Ｔ１〜Ｔ３）各々の偏差を求めた後、その偏差を用いてパンを焼く時間（Ｔｔ）を決定することもできる。また、他の方法としては、第１設定時間（Ｔ１）に対して、第２、３設定時間（Ｔ２、Ｔ３）の各々の偏差を引くか又は足すことによってパンを焼く時間（Ｔｔ）を決定することができる。上述した三番目の方法を式で表現すれば次の通りである。
【００４０】
〔式１〕
　Ｔｔ＝Ｔ１＋（Ｔ２−Ｔ２’）＋（Ｔ３―Ｔ３’）
　ここで、前記Ｔ２’は基準温度に対する加熱時間であり、前記Ｔ３’は基準電圧に対する加熱時間である。
　パンを焼く時間（Ｔｔ）が決定されれば、ユーザが調理開始命令を入力したかどうかを判断する（Ｓ２２）。また、ステップＳ２２の判断の結果、ユーザによって調理開始命令が入力されたら、決定された時間（Ｔｔ）だけパンを焼く（Ｓ２３）。
　また、パンを焼く時間（Ｔｔ）が経過したかどうかを判断し（Ｓ２４）、パンを焼く時間（Ｔｔ）が経過したら、電源がオフとなっているかどうかを判断し（Ｓ２５）、オフとなっていたら全てのルーチンを終了する。
【００４１】
　なお、ステップＳ１４の判断の結果、第２キー入力２０２を介して信号が入力されなかったら、第１キー入力部２０１を介して信号が入力されたかどうかを判断する（Ｓ２６）。また、第１キー入力部２０１を介して信号が入力されたら、電子レンジの調理機能を行う（Ｓ２７）。
【００４２】
　上述したように、本発明の第１実施例によるトースタ付電子レンジは、ユーザが選択したパンの種類及びパンの焼き加減、トースタ機器に印加される電圧レベル、温度検出部を介して検出した内部温度を考慮してパンを焼く時間（Ｔｔ）を決定する。
【００４３】
〔第２実施例〕
　本発明の第２実施例によるトースタ付電子レンジについて説明すれば次の通りである。
　図５に示すように、第２実施例によるトースタ付電子レンジは、電子レンジの動作のための各種機能を選択するための第１キー入力部３０１と、トースタを動作させるための各種メニュー、パンの種類及びパンの焼き加減を選択するための第２キー入力部３０２と、パンの種類及びパンの焼き加減によってヒータに供給する電圧のレベルを貯蔵するためのメモリ３０３と、トースタの動作完了時点から再動作開始時点までの時間をカウントするための時間カウンタ３０５と、ユーザによって選択されたパンの種類及びパンの焼き加減による出力電圧、または、時間カウンタ３０５を介して計測される時間によってトースト加熱時間を加減して制御し、第１キー入力部３０１を介して入力される命令によって電子レンジの動作を制御するマイクロコンピュータ３０４と、第１キー入力部３０１を介してユーザの命令が入力された時に、マイクロコンピュータ３０４の制御信号によって該当負荷を駆動させるための第１負荷駆動部３０６と、第２キー入力部３０２を介してユーザの命令が入力されたとき、マイクロコンピュータ３０４の制御信号によって該当負荷を駆動させるための第２負荷駆動部３０７と、第２負荷駆動部３０７から出力される電圧によって加熱されるヒータ３０８と、マイクロコンピュータ３０４の制御信号によって電子レンジ及びトースタの動作状態をディスプレイするためのディスプレイ部３０９からなる。
【００４４】
　図示してはいないが、第２実施例のトースタ付電子レンジには、トースタを冷却するための冷却ファンと、トースタ内部温度を検出する温度検出部が更に含まれる。
【００４５】
　本発明の第２実施例によるトースタ付電子レンジの駆動方法を説明すると次の通りである。
　図６ａ及び図６ｂは、本発明の第２実施例によるトースタ付電子レンジの駆動方法を示したフローチャートである。図６ａに示すように、先ず電源が電子レンジに印加されたかどうかを判断する（Ｓ１０１）。ステップＳ１０１の判断の結果、電源が印加されたと判断されると、ユーザによって調理に関する信号が入力されたかどうかを判断する（Ｓ１０２）。
【００４６】
　ステップＳ１０２の判断の結果、調理に関する信号が入力されなかったと判断すると、タイマーリセットのような調理機能以外の機能を行う（Ｓ１０３）。なお、ステップＳ１０２の判断の結果、ユーザが調理に関する信号を入力したと判断すると、ユーザが、電子レンジを動作するために、第２キー入力部３０２を介して信号を入力したかどうかを判断する（Ｓ１０４）。
【００４７】
　ステップＳ１０４の判断の結果、第２キー入力部３０２を介して、信号が入力されなかったら、第１キー入力部３０１を介して、信号が入力されたかどうかを判断する（Ｓ１１７）。第１キー入力部３０１を介して、信号が入力されたら、電子レンジの調理機能を行う（Ｓ１１８）。
【００４８】
　ステップＳ１０４の判断の結果、第２キー入力部３０２を介して、信号が入力されたらマイクロコンピュータ３０４は、それ以前の所定時間の間に、トースタ動作があったかどうかを判断する（Ｓ１０５）。これは、以前にヒータ３０８に電圧が供給されたかどうかを確認することで判断できる。
【００４９】
　ステップＳ１０５の判断の結果、以前にトースタ動作があったら、マイクロコンピュータ３０４は、前回の動作完了時点から再動作開始時点までの時間（Ｔｄ）を時間カウンタ３０５から算出する（Ｓ１０６）。再動作開始時点は、トースタ駆動のためのユーザの命令が入力された時点である。
【００５０】
　また、図６ｂに示すように、マイクロコンピュータ３０４は、ユーザが第２キー入力部２０２を介して選択したパンの種類及びパンの焼き加減を認識した後（Ｓ１０７）、選択されたパンの種類及びパンの焼き加減による加熱時間である第１設定時間（Ｔ１１）を、メモリ３０３から読み込む（Ｓ１０８）。
【００５１】
　続いて、マイクロコンピュータ３０４は、ユーザが選択したパンの焼き加減によって、ヒータ３０８に供給する出力電圧のレベルをメモリ３０３から読み込む（Ｓ１０９）。また、マイクロコンピュータ３０４は、読み込んだ出力電圧のレベルによって、第２設定時間Ｔ１２を設定する（Ｓ１１０）。例えば、ヒータ３０８に供給される出力電圧のレベルが、高ければ高いほど第２設定時間Ｔ１２を短く設定し、ヒータ３０８に供給される出力電圧のレベルが、低ければ低いほど第２設定時間Ｔ１２を長く設定する。
【００５２】
　また、ステップＳ１０６で算出した時間（Ｔｄ）によって第３設定時間（Ｔ１３）を設定する（Ｓ１１１）。前回動作完了時点から再動作開始時点までの時間（Ｔｄ）が短いということは、その分ヒータ３０８の冷却時間が短いということを意味する。言い換えれば、算出された時間（Ｔｄ）が短ければ、トースタの内部温度は高い。従って、算出した時間（Ｔｄ）が短ければ短いほど、第３設定時間（Ｔ１３）を短く設定し、算出した時間が長ければ長いほど、第３設定時間（Ｔ１３）を長く設定する。また、第１、２、３設定時間（Ｔ１１、Ｔ１２、Ｔ１３）を設定する順序は、変更可能である。
【００５３】
　また、第１ないし第３設定時間（Ｔ１１〜Ｔ１３）を組み合わせて、最終的にパンを焼く時間（Ｔｔ１）、即ち、実際ヒータ加熱時間を決定する（Ｓ１１２）。
　第１、２、３設定時間（Ｔ１１〜Ｔ１３）を用いてパンを焼く時間（Ｔｔ１）を決定する方法には、多様な方法がある。
【００５４】
　パンを焼く時間（Ｔｔ１）が決定されれば、ユーザが調理開始命令を入力したかどうかを判断する（Ｓ１１３）。また、ステップＳ１１３の判断の結果、ユーザによって調理開始命令が入力されたら、決定された時間（Ｔｔ１）だけ調理を行う（Ｓ１１４）。
【００５５】
　次に、トースタの動作が完了したかどうかを判断する（Ｓ１１５）。これはパンを焼く時間（Ｔｔ１）が、経過したかどうかを判断することで分かる。トースタの動作が完了されたら、電源がオフとなっているかどうかを判断し（Ｓ１１６）、オフとなっていると全てのルーチンを終了する。
【００５６】
　前記したように、本発明の第２実施例によるトースタ付電子レンジは、ユーザが選択するパンの種類及びパンの焼き加減、トースタ機器の電圧、前回動作以降から再動作までの時間などを考慮して、最終的にパンを焼く時間（Ｔｔ１）を決定できる。
【００５７】
〔第３実施例〕
　本発明の第３実施例によるトースタ付電子レンジを説明すれば次の通りである。
　図７に示すように、本発明の第３実施例によるトースタ付電子レンジは、電子レンジの動作命令を入力し、各種メニューを選択するための第１キー入力部４０１と、トースタ機器の動作命令を入力し、各種メニューを選択するための第２キー入力部４０２と、ユーザが第２キー入力部４０２を介してトースタの動作命令を入力すると、トースタの内部温度を検出する温度検出部４０５と、第２キー入力部４０２を介して入力されるユーザの命令によってトースタを制御し、かつ、第１キー入力部４０１を介して入力されるユーザの命令によって電子レンジを制御するマイクロコンピュータ４０４と、を備えている。ここで、マイクロコンピュータ４０４は、トースタ動作が完了すれば冷却ファン４１０を所定時間駆動し、所定時間が経過する前に第２キー入力部４０２を介してトースタの動作命令が再び入力されると、温度検出部４０５によって検出した温度が、予め設定された温度と同一であるかどうかによって予め設定された補正条件によって補正を行うように制御する。
【００５８】
　また、第３実施例によるトースタ付電子レンジは、マイクロコンピュータ４０４の制御信号によって電子レンジの負荷を駆動するための第１負荷駆動部４０６と、マイクロコンピュータ４０４の制御信号によってトースタの負荷を駆動するための第２負荷駆動部４０７と、第２負荷駆動部４０７の駆動信号によって駆動されるヒータ４０８と、電子レンジとトースタの内部の熱を冷ますための冷却ファン４１０と、トースタの動作が完了した時点から再動作が開始される時点までの時間と、冷却ファン４１０が動作した時間をカウントする時間カウンタ４１１と、マイクロコンピュータ３０４の制御信号によって、電子レンジ及びトースタの動作状態をディスプレイするためのディスプレイ部４０９と、パンの種類及びパンの焼き加減によって、ヒータ４０８に供給する電圧のレベルを貯蔵するためのメモリ４０３を備えている。
【００５９】
　このように構成した本発明によるトースタ付電子レンジは、ユーザが第１キー入力部４０１または第２キー入力部４０２を介して動作命令を入力すると該当負荷が駆動するように制御信号を出力する。
　この時、第２キー入力部４０２を介して動作命令が入力されたら、現在動作命令が入力される前の所定時間、トースタの加熱動作があったかどうかを判断する。即ち、初期動作であるかどうかを判断する。
【００６０】
　もし、トースタにそれ以前の加熱動作が存在していたら、トースタの状態によって調理条件を設定し、それ以前の加熱動作が存在しなかったら初期動作と判断して選択した条件によって調理を行う。調理の動作が完了すると予め設定された時間、冷却ファン４１０を駆動する。
【００６１】
　トースタの加熱動作完了後、冷却ファン４１０が駆動する間に、ユーザがトースタを再動作するための命令を入力することもできる。若し、トースタの加熱動作完了後、再動作命令が入力されたら、トースタの内部温度を温度検出部４０５から読み込んで、トースタの内部温度によって調理条件を調節する。しかしながら、冷却ファン４１０の駆動中に検出されるトースタの内部温度は、実際温度より低く認識される。これは、冷却ファン４１０がトースタの内部の暑い空気を外部へ吐き出すので、一時的にトースタの内部温度が低くなるからである。しかしながら、冷却ファン４１０が停止すると、ヒータ４０８に残っている熱気によって、内部温度は再び上昇する。従って、検出温度と実際温度とには差がある。
【００６２】
　上述した温度誤差を補正するために、製品を生産する工程において予め設定された温度補正方式または時間補正方式を用いる。温度補正方式の場合、マイクロコンピュータが検出した内部温度と実際温度との差を予測し、予測された温度差によって調理時間を調節する。また、時間補正方式の場合、トースタの動作完了時点から再動作命令入力までの時間、または冷却ファン４１０が動作した時間を用いて調理時間を調節する。
【００６３】
　本発明の第３実施例によるトースタ付電子レンジの駆動方法を説明する。
　図８ａ及び図８ｂは、本発明の第３実施例によるトースタ付電子レンジの駆動方法を示したフローチャートである。図８ａに示すように、先ず、電源が電子レンジに印加されたかどうかを判断する（Ｓ２０１）。ステップＳ２０１の判断の結果、電源が印加されたと判断されると、ユーザによって調理に関する信号が入力されたかどうかを判断する（Ｓ２０２）。
【００６４】
　ステップＳ２０２の判断の結果、調理に関する信号が入力されなかったと判断されると、タイマーリセットのような調理機能以外の機能を行う（Ｓ２０３）。なお、ステップＳ２０２の判断の結果、ユーザが調理に関する信号を入力したと判断されると、ユーザが電子レンジを動作するために、第２キー入力部４０２を介して信号を入力したかどうかを判断する（Ｓ２０４）。
【００６５】
　ステップＳ２０４の判断の結果、第２キー入力部４０２を介して信号が入力されなかったら、第１キー入力部４０１を介して信号が入力されたかどうかを判断する（Ｓ２２３）。また、第１キー入力部４０１を介して信号が入力されたら、電子レンジの調理機能を行う（Ｓ２２４）。
【００６６】
　なお、ステップＳ２０４の判断の結果、第２キー入力部４０２を介して信号が入力されたら、マイクロコンピュータ４０４は、それ以前にトースタ動作があったかどうかを判断する（Ｓ２０５）。これはヒータ４０８に電圧が供給されたかどうかを確認することで判断できる。
【００６７】
　ステップＳ２０５の判断の結果、それ以前に加熱動作が存在しなかったら、トースタの初期動作であると判断し、ユーザが選択した調理条件によって調理を行う（Ｓ２０６）。また、ステップＳ２０６が終わったかどうかを判断した後（Ｓ２０７）、完了したらトースタの内部を冷却するために予め設定された時間、冷却ファン４１０を駆動する（Ｓ２０８）。
　次に予め設定された時間が経過したかどうかを判断し（Ｓ２０９）、ステップＳ２０９の判断の結果、設定時間が経過しなかったら、動作命令が再入力されたかどうかを判断する（Ｓ２１０）。
【００６８】
　ステップＳ２１０の判断の結果、動作命令が再入力されたら温度検出部４０５を介してトースタの内部温度（ＲＴ）を読み込む（Ｓ２１１）。次に予め設定された補正条件によって温度または時間補正を行って調理条件（Ｔｔ２）を設定する（Ｓ２１３）。
【００６９】
　温度補正過程を説明すると次の通りである。
　トースタ動作終了後、冷却ファンが動作している途中で動作命令が再入力される場合、温度が一時的に下降するように検出されるので、マイクロコンピュータ４０４が読み込んだ内部温度と実際温度との差が発生する。かかる温度差を考慮してマイクロコンピュータ４０４が正確な温度を認識できるように温度補正を行う。
【００７０】
　即ち、検出した内部温度ＲＴ（ＲＴ）により補正温度（ＣＴ）を引くか又は足すことによって実際温度に近い設定温度（ＤＴ）を決定する。また、設定温度ＤＴ（ＤＴ）による加熱時間（Ｔ２）と、ユーザが選択したパンの種類及びパンの焼き加減、また、電圧レベルによる加熱時間（Ｔ１）を組み合わせてパンを焼く時間（Ｔｔ２）を決定する。
【００７１】
　補正温度（ＣＴ）は、トースタの動作完了時点から再動作開始時点までの時間（Ｔｄ）や、または冷却ファン４１０の駆動時間を用いて算出する。例えば、冷却ファン４１０が駆動された時間が長くなると、補正温度（ＣＴ）を低く設定し、冷却ファン４１０の駆動時間が短くなると、補正温度（ＣＴ）を高く設定する。冷却ファン４１０の駆動時間が、長ければ長くなるほどトースタの内部温度が下降し、ヒータ４０８の熱が下がるから小さい値の補正温度（ＣＴ）を検出した内部温度（ＲＴ）から引く。反対に冷却ファン（４１０）の駆動時間が短くなると、その分ヒータ４０８の熱が大幅に下がらないので大きい値の補正温度（ＣＴ）を検出した内部温度（ＲＴ）から引く。
【００７２】
　時間補正過程を説明すると次の通りである。
　マイクロコンピュータ４０４が読み込んだ内部温度（ＲＴ）と実際温度との差を補償するために、検出した内部温度（ＲＴ）と実際温度との差による補正時間（ｄＴ）を設定し、補正時間（ｄＴ）を用いてパンを焼く時間（Ｔｔ２）を決定する。即ち、ユーザが選択したパンの種類及びパンの焼き加減、また、電圧レベルによる加熱時間（Ｔ１）と、検出した内部温度（ＲＴ）による加熱時間（Ｔ２）また、補正時間（ｄＴ）を組み合わせてパンを焼く時間（Ｔｔ２）を決定する。
【００７３】
　補正時間（ｄＴ）は、トースタの動作完了時点から再動作開始時点までの時間（Ｔｄ）および／または冷却ファン４１０の駆動時間を用いて算出する。前回の動作完了時点から再動作開始時点までの時間（Ｔｄ）、または冷却ファン４１０の駆動時間が短いということは、その分ヒータ４０８の冷却時間が短いということを意味する。言い換えれば、時間（Ｔｄ）が短いと、トースタの内部温度が高い。従って、時間（Ｔｄ）が短いほど補正時間（ｄＴ）を短く設定し、時間（Ｔｄ）が長いほど補正時間（ｄＴ）を長く設定する。
【００７４】
　ステップＳ２１３において、温度または時間補正を介してパンを焼く時間（Ｔｔ２）などの調理条件が設定されると、設定された調理条件によって、調理が完了するまで調理が行われる（Ｓ２１４−Ｓ２１５）。
　ステップＳ２０９の判断の結果、冷却ファン４１０が設定時間駆動したら、冷却ファン４１０の駆動停止し、それ以降、動作命令が再入力されるかどうかを判断する（Ｓ２１７）。
　また、ステップＳ２１７の判断の結果、ユーザによって動作命令が再入力されたら、ユーザが選択した調理条件、及び温度検出部４０５を介して読み込んだ温度によって、調理時間を設定し、調理が完了するまで調理を行う（Ｓ２１８−Ｓ２１９）。
【００７５】
　ステップＳ２０５の判断の結果、それ以前に加熱動作が存在しなかったら、トースタの初期動作であると判断し、ユーザが選択した調理条件によって調理を行う（Ｓ２０６）。また、ステップＳ２０６が終わったかどうかを判断した後（Ｓ２０７）、完了したらトースタの内部を冷却するために予め設定された時間、冷却ファン４１０を駆動する（Ｓ２０８）。次に予め設定された時間が経過したかどうかを判断し（Ｓ２０９）、ステップＳ２０９の判断の結果、設定時間が経過しなかったら、動作命令が再入力されたかどうかを判断する（Ｓ２１０）。
【００７６】
　前記にて、いくつかの実施例が説明されたにもかかわらず、本発明がこの趣旨および範疇から外れることなく、他のさまざまな形態で具体化されることができるという事実は、該当技術に通常の知識を有した者には自明なことである。したがって、前述した実施例は制限的なものではない、例示的なものとして考えられねばならず、添付された請求項およびこれと同等範囲内のすべての実施例は本発明の範疇内に含まれる。
【図面の簡単な説明】
【００７７】
【図１】一般的な電子レンジの構成を示した分解斜視図である。
【図２】従来技術によるトースタ付電子レンジの構成を示した分解斜視図である。
【図３】本発明の第１実施例によるトースタ付電子レンジを示したブロック図である。
【図４ａ】図３のトースタ付電子レンジの駆動方法を示したフローチャート（その１）である。
【図４ｂ】図３のトースタ付電子レンジの駆動方法を示したフローチャート（その２）である。
【図５】本発明の第２実施例によるトースタ付電子レンジを示したブロック図である。
【図６ａ】図５のトースタ付電子レンジの駆動方法を示したフローチャート（その１）である。
【図６ｂ】図５のトースタ付電子レンジの駆動方法を示したフローチャート（その２）である。
【図７】本発明の第３実施例によるトースタ付電子レンジを示したブロック図である。
【図８ａ】図７のトースタ付電子レンジの駆動方法を示したフローチャート（その１）である。
【図８ｂ】図７のトースタ付電子レンジの駆動方法を示したフローチャート（その２）である。
【符号の説明】
【００７８】
２０１、３０１、４０１…第１キー入力部
２０２、３０２、４０２…第２キー入力部
２０３、３０３、４０３…メモリ
２０４、３０４、４０４…マイクロコンピュータ
２０６、３０６、４０６…第１負荷駆動部
２０７、３０７、４０７…第２負荷駆動部
２０８、３０８、４０８…ヒータ
２０９、３０９、４０９…ディスプレイ部
２０５、４０５…温度検出部
３０５、４１１…時間カウンタ
４１０…冷却ファン
【図１】
2004093126.tif 000003
【図２】
2004093126.tif 000004
【図３】
2004093126.tif 000005
【図４ａ】
2004093126.tif 000006
【図４ｂ】
2004093126.tif 000007
【図５】
2004093126.tif 000008
【図６ａ】
2004093126.tif 000009
【図６ｂ】
2004093126.tif 000010
【図７】
2004093126.tif 000011
【図８ａ】
2004093126.tif 000012
【図８ｂ】
2004093126.tif 000013